【手続補正書】
【提出日】平成19年12月10日(2007.12.10)
【手続補正１】
【補正対象書類名】特許請求の範囲
【補正対象項目名】全文
【補正方法】変更
【補正の内容】
【特許請求の範囲】
【請求項１】
撮影光学系を有する鏡筒ユニットと、当該撮像装置の前面側を覆う前カバーとを備えた撮像装置において、
前記鏡筒ユニットを前記撮影光学系の光軸方向および光軸に直交する方向に移動可能に保持する保持ユニットを有し、
前記鏡筒ユニットは、前記前カバーによって前記前カバーに対する光軸に直交する方向の位置が決められ、前記前カバーに対する光軸方向の位置が決められることを特徴とする撮像装置。
【請求項２】
前記鏡筒ユニットの前記前カバーに対する光軸に直交する方向の位置決めを行う光軸直交方向位置決め手段は、互いに係合する前記鏡筒ユニットの一部と前記前カバーの一部から成ることを特徴とする請求項１に記載の撮像装置。
【請求項３】
前記鏡筒ユニットの前記前カバーに対する光軸方向の位置決めを行う光軸方向位置決め手段は、前記鏡筒ユニットと前記前カバーとの間に配置された弾性体であることを特徴とする請求項１に記載の撮像装置。
【請求項４】
前記鏡筒ユニットの前記前カバーに対する光軸方向の位置決めを行う光軸方向位置決め手段は、前記保持ユニットと前記鏡筒ユニットとの間に配置された弾性体であることを特徴とする請求項１に記載の撮像装置。
【請求項５】
前記弾性体は、前記鏡筒ユニットと前記前カバーの隙間から進入する光線を遮蔽することを特徴とする請求項３に記載の撮像装置。
【請求項６】
前記鏡筒ユニットの前記前カバーに対する光軸方向の位置決めを行う光軸方向位置決め手段は、前記鏡筒ユニットを係止するように前記前カバーに設けられたフック部であることを特徴とする請求項１に記載の撮像装置。
【請求項７】
撮影光学系を有する鏡筒ユニットと、当該撮像装置の前面側を覆う前カバーとを有する撮像装置であって、
前記鏡筒ユニットを前記撮影光学系の光軸方向および光軸に直交する方向に移動可能に保持する保持ユニットを有し、
前記鏡筒ユニットの一部と前記前カバーの一部が互いに係合することを特徴とする撮像装置。
【請求項８】
撮影光学系を有する鏡筒ユニットと、当該撮像装置の前面側を覆う前カバーとを有する撮像装置であって、
前記鏡筒ユニットを前記撮影光学系の光軸方向および光軸に直交する方向に移動可能に保持する保持ユニットと、
前記鏡筒ユニットと前記前カバーとの間に配置された弾性体とを有することを特徴とする撮像装置。
【請求項９】
撮影光学系を有する鏡筒ユニットと、当該撮像装置の前面側を覆う前カバーとを有する撮像装置であって、
前記鏡筒ユニットを前記撮影光学系の光軸方向および光軸に直交する方向に移動可能に保持する保持ユニットと、
前記保持ユニットと前記鏡筒ユニットとの間に配置された弾性体とを有することを特徴とする撮像装置。
【請求項１０】
前記前カバーは、アクセサリーレンズを取り付けることが可能であることを特徴とする請求項１〜９のいずれかに記載の撮像装置。
【請求項１１】
前記光軸方向位置決め手段は、前記鏡筒ユニットの周囲に設けられていることを特徴とする請求項３〜６のいずれかに記載の撮像装置。
【請求項１２】
前記弾性体は、前記鏡筒ユニットの周囲に設けられていることを特徴とする請求項８又は９に記載の撮像装置。
【手続補正２】
【補正対象書類名】明細書
【補正対象項目名】００１４
【補正方法】変更
【補正の内容】
【００１４】
上記目的を達成するために、本発明は、撮影光学系を有する鏡筒ユニットと、当該撮像装置の前面側を覆う前カバーとを備えた撮像装置において、前記鏡筒ユニットを前記撮影光学系の光軸方向および光軸に直交する方向に移動可能に保持する保持ユニットを有し、前記鏡筒ユニットは、前記前カバーによって前記前カバーに対する光軸に直交する方向の位置が決められ、前記前カバーに対する光軸方向の位置が決められることを特徴としている。
また、本発明は、撮影光学系を有する鏡筒ユニットと、当該撮像装置の前面側を覆う前カバーとを有する撮像装置であって、前記鏡筒ユニットを前記撮影光学系の光軸方向および光軸に直交する方向に移動可能に保持する保持ユニットを有し、前記鏡筒ユニットの一部と前記前カバーの一部が互いに係合することを特徴としている。
また、本発明は、撮影光学系を有する鏡筒ユニットと、当該撮像装置の前面側を覆う前カバーとを有する撮像装置であって、前記鏡筒ユニットを前記撮影光学系の光軸方向および光軸に直交する方向に移動可能に保持する保持ユニットと、前記鏡筒ユニットと前記前カバーとの間に配置された弾性体とを有することを特徴としている。
また、本発明は、撮影光学系を有する鏡筒ユニットと、当該撮像装置の前面側を覆う前カバーとを有する撮像装置であって、前記鏡筒ユニットを前記撮影光学系の光軸方向および光軸に直交する方向に移動可能に保持する保持ユニットと、前記保持ユニットと前記鏡筒ユニットとの間に配置された弾性体とを有することを特徴としている。
【手続補正３】
【補正対象書類名】明細書
【補正対象項目名】００２１
【補正方法】変更
【補正の内容】
【００２１】
２０５は撮像装置本体２００の前面側を覆う前カバーである。前カバー２０５には前述のストロボ発光窓２０３を露呈する為の開口部２０５ａと、ファインダーユニットの対物レンズ２０６ａを露呈する為の開口部２０５ｂが一体的に形成されている。２０７はバヨネットリングであり、後述するアクセサリーレンズ不使用時、前カバー２０５に一体的に形成されているアクセサリーレンズ取り付け座を隠す役割を果たしている。
【手続補正４】
【補正対象書類名】明細書
【補正対象項目名】００３１
【補正方法】変更
【補正の内容】
【００３１】
図４において、前カバー２０５および後カバー２１０の内部には保持ユニットであるシャーシ２１６が配備され、鏡筒ユニット２０１が３本の段付きネジ２１７ａ，２１７ｂ，２１７ｃで仮固定されており、鏡筒ユニット２０１はシャーシ２１６に対し、光軸方向および光軸に直交する方向に移動可能にフローティング保持されている。本実施例１では段付きネジ３本にて支持しているが、ネジの数は何本でも良い。鏡筒ユニット２０１の先端外周部２０１ａは、前カバー２０５が組み込まれた時に、前カバー２０５の位置決め案内部２０５ｅ（後述）に案内され、位置決め部２０５ｄに係合して、前カバー２０５と鏡筒ユニット２０１の位置関係において、光軸に直交する方向に関する位置決め係合部、つまり、光軸直交方向位置決め手段として機能する。同じく鏡筒ユニット２０１の一部には小判型の長穴２０１ｂがあり、前カバー２０５から突出している回転止め用係合軸２０５ｃに係合し、前カバー２０５と鏡筒ユニット２０１の位置関係において、光軸に直交する面内での回転方向の規制を行っている。
【手続補正５】
【補正対象書類名】明細書
【補正対象項目名】００５１
【補正方法】変更
【補正の内容】
【００５１】
また、図１９に示されるように、光軸方向位置決め手段に相当するドーナツ型（ドーナツ型でなくても良い）の弾性体２２８を鏡筒ユニット２０１と前カバー２０５の間に配設すれば、弾性体２１８ａ，２１８ｂの効果が同様に得られると共に、弾性体２２８を遮光部材にすれば鏡筒ユニット２０１の僅かな隙間から進入する不要光線も遮蔽することが可能となる。遮光機能を有する弾性体２２８としては、濃色のゴム、濃色の発泡体、濃色のエラストマー樹脂などが考えられる。
【手続補正６】
【補正対象書類名】明細書
【補正対象項目名】００５２
【補正方法】変更
【補正の内容】
【００５２】
また、図２０に示されるように、シャーシ２１６と鏡筒ユニット２０１のフランジ部２０１ｃ，２０１ｄの間に光軸方向位置決め手段に相当する弾性体２２９ａ，２２９ｂを配設すれば弾性体２１８ａ，２１８ｂの効果が同様に得られると共に、撮像装置本体が不意に落下した際に鏡筒ユニット２０１に加わる衝撃を和らげる効果も同時に得ることができる。